(57)【特許請求の範囲】
【請求項１】
椅子の座部１両側に有する肘フレーム５の上端部に、略水平面内で前後・左右・傾斜のスライド変移が可能にスライド案内孔を穿設したアームプレート１２と、アジャストプレート１６と、肘フレーム５の支持台７に固定するボルト１８、コイルスプリング１９、ワッシャ２０、ナット２１とからなる取付け部材と、肘カバー６とから構成された肘掛け４を設けた椅子の肘掛け装置において、前記アームプレート１２の上面に１個以上の凸起部１５を形成し、前記アジャストプレート１６に複数本の孔２２あるいは凹凸状部を形成したことを特徴とする椅子の肘掛け装置。
【請求項２】
前記アームプレート１２のスライド案内孔として、アジャストプレート１６を固定する取付け部材のボルト１８がスライドできるように２ケ所適宜形状の孔１３、１４を設けたことを特徴とする請求項１記載の椅子の肘掛け装置。
【請求項３】
アームプレート１２に穿設したスライド案内用の凹形状孔１３、１４を塞ぐ安全板２３を設けたことを特徴とする請求項１または請求項２に記載の椅子の肘掛け装置。
【請求項４】
安全板２３を２枚で形成して上下に重ねて水平にスライドできるようにしたことを特徴とする請求項３に記載の椅子の肘掛け装置。
【発明の詳細な説明】
【０００１】
【発明の属する技術分野】
本発明は、椅子の肘掛け装置に係わり、さらに詳しくは両側の肘掛けの間隔を略水平面内で前後方向、左右方向、並びに水平面で傾斜角度をつけられるように広狭調節することが可能な椅子の肘掛け装置に関するものである。
【０００２】
【従来の技術】
従来、椅子の座部両側に立起固定した肘フレームの上端に、肘カバーを固定した構造の肘掛け付き椅子は極めて一般的に提供されている。
【０００３】
また、着座者の体格に応じて肘掛けの上下高さを調節できる構造の上下高さ調節機能付き椅子も提供されている。
【０００４】
また、着座者の体格、特に肩幅に応じて両側の肘掛けの間隔を広狭調節することが可能なもの、例えば、椅子の座部両側に有する肘フレームの上端部に形成した支持台と、前記肘カバーの下面とに互いにスライド係合する案内レールを設けるとともに、前記支持台と肘カバーとの間に該肘カバーを座部の中心方向へ弾性付勢する付勢手段を設け、略水平面内でスライド変移可能に肘カバーを設けてなる椅子の肘掛け装置（特開平８−０２４０７９号公報参照）が存在している。
【０００５】
【発明が解決しようとする課題】
しかしながら、着座者の体格、特に肩幅に応じて両側の肘カバーの間隔を広狭調節することや前後方向に調節することが可能なものであるとされているが、確かに肩幅に応じて両側の肘カバーの左右方向間隔を広狭調節する点の具体的構成は開示されているので理解できるが、前後方向の調節機構については、広狭調節機構と同様の機構を採用することができ、その詳細な説明は省略するとしているだけで、実際どのように同様の機構を採用し、どのようにすると可能なのか不明であり、実際上前後、左右、傾斜するようにスライドする椅子の肘掛け装置は存在していないという問題があった。
【０００６】
本発明は、これらの事情に鑑み、椅子の肘掛けを着座者の体格に応じて、水平面内で広範囲に前後、左右、さらに傾斜させることもできる椅子の座部両側に有する肘フレームの上端部に、略水平面内で前後・左右・傾斜のスライド変移可能に肘掛けを設けた椅子の肘掛け装置を提供することを目的とするものである。
【０００７】
【課題を解決するための手段】
本発明は、前記課題の解決を図ったもので、請求項１記載の発明においては、椅子の座部両側に有する肘フレームの上端部に、略水平面内で前後・左右・傾斜のスライド変移が可能にスライド案内孔を穿設したアームプレートと、アジャストプレートと、肘フレームの支持台に固定するボルト、コイルスプリング、ワッシャ、ナットとからなる取付け部材と、肘カバーとから構成された肘掛けを設け、前記アームプレートの上面に１個以上の凸起部を形成し、前記アジャストプレートに複数本の孔あるいは凹凸状部を形成するという技術手段を採用した。
【０００８】
請求項２記載の発明においては、請求項１記載の発明における、前記アームプレートのスライド案内孔として、アジャストプレートを固定する取付け部材のボルトがスライドできるように２ケ所適宜形状の孔を設けるという技術手段を採用した。
【０００９】
請求項３記載の発明においては、請求項１または請求項２記載の発明におけるアームプレートに穿設したスライド案内用の凹形状孔を塞ぐ安全板を設けるという技術手段を採用した。
【００１０】
請求項４記載の発明においては、請求項３に記載の発明における安全板を２枚で形成して上下に重ねて水平にスライドできるようにするという技術手段を採用した。
【００１１】
【実施の形態】
以下、本発明の椅子の肘掛け装置で、椅子の座部両側に有する肘フレームの上端部に設けた肘掛けを、着座者の体格等の諸条件、特に肩幅に応じて広範囲にスライド変移させて、両側の肘掛けの間隔を広狭調節、前後調節、傾斜角度調節を行うことが可能なものである。
【００１２】
すなわち、椅子の座部両側に有する肘フレームの上端部に、略水平面内で前後・左右・傾斜のスライド変移が可能になるように設けた肘掛けで、前記肘掛けはスライド案内孔を穿設したアームプレートと、アジャストプレートと、肘フレームの支持台に固定するボルト、コイルスプリング、ワッシャ、ナットとからなる取付け部材と、肘カバーとから構成された椅子の肘掛け装置。さらに、前記椅子の肘掛け装置のアームプレートの上面に１個以上の凸起部を形成し、前記アジャストプレートに複数本の孔あるいは凹凸状部を形成した椅子の肘掛け装置。また、前記スライド案内孔を塞ぐ安全板を設けた椅子の肘掛け装置である。
【００１３】
【実施例】
ここで、本発明の具体的な実施例である椅子の肘掛け装置の構成について詳細に説明する。
【００１４】
先ず、図１に基づいて本発明の椅子の肘掛け装置の全体像を概略説明すると、本発明に係る椅子の一実施例を示し、図中１は座部、２は脚部、３は背もたれ部、４は肘掛けをそれぞれ示している。
【００１５】
そして、図示した椅子は、座部１を回転可能に脚部２で支持すると共に、背後に背もたれ部３を有する通常構造の回転椅子であり、座部１の両側に肘掛け４、４を設けている。
【００１６】
前記、肘掛け４は、基端を座部１の下面に固定し、先端部を座部１の側方から上方へ起立した肘フレーム５と、該肘フレーム５の上端部に、互いの間隔を水平面内で広狭調節、前後調節、角度をつける傾斜調節を行うことができるようにスライド変移可能に設けたものである。
【００１７】
本発明の第一実施例である椅子の肘掛け装置は、図３に示すように、両側の肘掛け４、４の肘カバー６、６のスライド変移状態のようにスライドするものである。それは、平行で外側にスライド変移させた状態で、背もたれ部側に設定した状態（実線で示した状態）と、中心側に設定した状態で背もたれと反対側に設定した状態（破線で示した状態）と、背もたれ部側に設定した状態で、傾斜させて設定した状態（１点鎖線で示した状態）と、手前側に設定した状態で傾斜させて設定した状態（２点鎖線で示した状態）と、最も座部１の中心側に設定した状態で、しかも背もたれ部側に設定した状態（図示せず）と、最も外側にスライド変移させた状態で、しかも背もたれ部側と反対側、言い換えれば手前側に設定した状態（図示せず）等にでき、着座者の体格、使用状態等の諸条件に合わせて、広範囲に肘掛けの間隔をスライド変移することができるものである。
【００１８】
次に、図２に基づいて、本発明のスライド変移可能な椅子の肘掛け装置について詳細に説明する。
【００１９】
図１で示した、肘掛け４、肘フレーム５、肘カバー６、支持台７を取り出して分解斜視した状態を示すものが図２である。
【００２０】
支持台７の前後に肘掛け装置の固定用孔８を穿設し、その支持台７の上面にアームベース９を設ける。このアームベース９には、前記肘掛け装置の固定用孔８に合致する位置にネジ孔１０を穿設し、さらに、肘掛け４を水平面内で、ある角度傾斜させるための逃げ部１１を前方側に設ける。なお、既存の支持台７を使用する場合は、前記のアームベース９が必要であるが、設計段階から支持台７の形状を最初から逃げ部１１を形成しておけばアームベース９は不要である。
【００２１】
前記、支持台７の上部とアームベース９を覆うように図示のように四周を折り曲げたアームプレート１２を金属板で形成し、四周の折り曲げ部の四隅には切り欠きを形成して折り曲げ易くししたもので、肘カバー６で覆って固定するものである。また、アームプレート１２は平板を採用することも可能である。なお、アームプレート１２の材質は金属だけでなく硬質強化プラスチック等に置き換えることができる。
【００２２】
さらに、前記アームプレート１２には、アームプレート１２と肘カバー６を水平面内で前後、左右、及び傾斜させることができるように平面から見て凹形状の孔を形成する。なお、この孔としては凹形状と凹形状、凹形状とＬ字形状、Ｌ字形状とＬ字形状等の組み合わせを採用することができる。この孔は前後に２ケ所第１孔１３と第２孔１４が形成される。
【００２３】
この第１孔１３側を支点にして傾斜させる場合には動く量との関係で、図２からも理解できるように第１孔１３に比べて、第２孔１４の方が大きくした方がより傾斜角度のスライド範囲を広げることができる。但し、第１孔１３と第２孔１４を同一の大きさにしても可能なことはいうまでもない。
【００２４】
また、前記アームプレート１２の、第１孔１３と第２孔１４の間に１個以上の凸起部１５が設けられている。この凸起部１５は、後述する通り、スライド変移量に合わせてストッパの働きをするものである。
【００２５】
さらに、該アームプレート１２の上部には、アジャストプレート１６を取り付けるものである。該アジャストプレート１６について、詳細に説明すると、前後に、前記支持台７に穿設した固定用孔８と合致する軸受部１７を設け、この軸受部１７を利用して支持台７とアームベース９とアジャストプレート１６をボルト１８、コイルスプリング１９、ワッシャ２０、ナット２１で肘掛け４を弾性的に支持固定するものである。なお、肘掛け４には弾性材で製作した肘カバー６を被せることはいうまでもない。
【００２６】
この支持固定するのは、いうまでもなく、アームプレート１２の凹形状の第１孔１３と、第２孔１４を挿通して、支持固定される。
【００２７】
また、前記、アジャストプレート１６には、簡単に前記したが、アームプレート１２の上面に設けた凸起部１５と係合ストップさせる平行状の切り込み孔２２を穿設するか、あるいは平行状の凹凸部を形成して、この切り込み孔２２、又は凹凸部は前後方向へのスライド変移をさせる場合は、凸起部１５の案内となり、左右方向、傾斜方向のスライド変移をさせる場合はコイルスプリング１９に抗して、凸起部１５が切り込み孔２２又は凹凸部を乗り越えて、ストップさせた状態になる。これはコイルスプリング１９の弾発力で切り込み孔２２、凹凸部の凹部に係合してストッパの役目を行うものである。
【００２８】
最後に、上記のように、組み立てたものに、肘カバー６によって覆うことにより完成するものである。
【００２９】
以上のように本発明の椅子の肘掛け装置は、アジャストプレート１６とアームベース９との間で、アジャストプレート１６に設けたコイルスプリング１９の弾発力に抗して、アームプレート１２と肘掛け４を前後、左右及び傾斜方向に広範囲にスライド変移させることができるものである。
【００３０】
次に、本発明の第二実施例である椅子の肘掛け装置について、図４に基づいて説明する。
この第二実施例は、基本的な構成は第一実施例と同一で、椅子の両側に設けた肘掛け装置の両側の肘掛け４の間隔を広狭調節可能にしたもので、この肘掛け４を握って間隔を調節する場合、アームプレート１２に穿設したスライド案内用の凹形状の第１孔１３、第２孔１４に指や指爪を挟んでしまうことがしばしば発生する。この挟むことによる怪我を防止するための安全対策として、第１孔１３、第２孔１４を塞ぐ安全板２３を設けたものである。
【００３１】
ここで、先ず、第２実施例の肘掛けの変移動作について説明する。それは図３で説明した第一実施例と同じように、両側の肘掛け４、４の肘カバー６、６のスライド変移状態のようにスライドするものである。それは、平行で外側にスライド変移させた状態で、背もたれ部側に設定した状態（実線で示した状態）と、中心側に設定した状態で背もたれと反対側に設定した状態（破線で示した状態）と、背もたれ部側に設定した状態で、傾斜させて設定した状態（１点鎖線で示した状態）と、手前側に設定した状態で傾斜させて設定した状態（２点鎖線で示した状態）と、最も座部１の中心側に設定した状態で、しかも背もたれ部側に設定した状態（図示せず）と、最も外側にスライド変移させた状態で、しかも背もたれ部側と反対側、言い換えれば手前側に設定した状態（図示せず）等にでき、着座者の体格、使用状態等の諸条件に合わせて、広範囲に肘掛けの間隔をスライド変移することができるものである。
【００３２】
次に、本発明の第二実施例として、肘掛け４、肘フレーム５、肘カバー６、支持台７を取り出して分解斜視した状態を示す図４で詳細に説明する。支持台７の前後に肘掛け装置の固定用孔８を穿設し、その支持台７の上面にアームベース９を設ける。このアームベース９には、前記肘掛け装置の固定用孔８に合致する位置にネジ孔１０を穿設し、さらに、肘掛け４を水平面内で、ある角度傾斜させるための逃げ部１１を前方側に設ける。なお、既存の支持台７を使用する場合は、前記のアームベース９が必要であるが、設計段階から支持台７の形状を最初から逃げ部１１を形成しておけばアームベース９は不要である。
【００３３】
前記アームベース９の上部にアームベース９の形状と略同一の合成樹脂製等のアームベースプレート２６が、スライドを円滑にするために設けられている。そして、支持台７の上部とアームベース９、アームベースプレート２６を覆うように図示のように四周を折り曲げたアームプレート１２を金属板で形成し、四周の折り曲げ部の四隅には切り欠きを形成して折り曲げ易くししたもので、肘カバー６で覆って固定するものである。また、アームプレート１２は平板を採用することも可能である。なお、アームプレート１２の材質は金属だけでなく硬質強化プラスチック等に置き換えることができる。
【００３４】
さらに、前記アームプレート１２には、アームプレート１２と肘カバー６を水平面内で前後、左右、及び傾斜させることができるように平面から見て凹形状とＬ字形状の孔を形成する。この孔は前後に２ケ所第１孔１３と第２孔１４として形成される。
【００３５】
このＬ字形状の第１孔１３側を支点にして傾斜させる場合には動く量との関係で、図３からも理解できるように第１孔１３に比べて、第２孔１４の方が大きくした方がより傾斜角度のスライド範囲を広げることができる。但し、第１孔１３と第２孔１４を略同一の大きさにしても可能なことはいうまでもない。
【００３６】
また、前記アームプレート１２の、第１孔１３と第２孔１４の間に１個以上の凸起部１５が設けられている。この凸起部１５は、後述する通り、スライド変移量に合わせてストッパの働きをするものである。
【００３７】
さらに、該アームプレート１２の上部には、安全板２３を介してアジャストプレート１６を取り付けるものである。そしてこの安全板２３は、滑り性を良くするために合成樹脂製等で形成されており、図４からも理解できるように、第１孔１３と第２孔１４にそれぞれ対応して覆うように、各２枚の交叉するように斜めの孔２７を穿設した安全板２３Ａ、２３Ｂが設けられている。
【００３８】
この安全板２３の上にアジャストプレート１６を設け、該アジャストプレート１６には、アームプレート１２の上面に設けた凸起部１５と係合ストップさせる平行状の切り込み孔２２を穿設するか、あるいは平行状の凹凸部を形成して、この切り込み孔２２、又は凹凸部は前後方向へのスライド変移をさせる場合は、凸起部１５の案内となり、左右方向、傾斜方向のスライド変移をさせる場合はコイルスプリング１９に抗して、凸起部１５が切り込み孔２２又は凹凸部を乗り越えて、ストップさせた状態になる。これはコイルスプリング１９の弾発力で切り込み孔２２、凹凸部の凹部に係合してストッパの役目を行うものである。
【００３９】
前記アジャストプレート１６上には、コイルスプリング１９を介して当て板２４を係合させる。そして前記安全板２３Ａ、２３Ｂに穿設されたこの交叉した斜めの孔２７とアジャストプレート１６の軸受部１７と当て板２４の係止孔２８を貫通するようにボルト１８をナット２１で固定するものである。また、安全板２３とアジャストプレート１６間、あるいはアジャストプレート１６と当て板２４間に吸音板２５を介設することにより騒音を防止することができる。なお、前記安全板２３Ａと２３Ｂは重ねて設けられているので、互いにアームプレート１２の側部に形成したレール部を案内に斜めの孔２７を介して左右に往復移動するようになっている。
【００４０】
次にアジャストプレート１６について、詳細に説明すると、前後に、前記、支持台７に穿設した固定用孔８と合致する軸受部１７を設け、この軸受部１７を利用して支持台７とアームベース９とアジャストプレート１６をボルト１８、コイルスプリング１９、図示してないワッシャ、ナット２１で肘掛け４を弾性的に支持固定するものである。なお、肘掛け４には弾性材で製作した肘カバー６を被せることはいうまでもない。
【００４１】
この支持固定するのは、いうまでもなく、アームプレート１２のＬ字形状の第１孔１３と、凹形状の第２孔１４を挿通して、さらに安全板２３を介して支持固定されることはいうまでもない。
【００４２】
また、前記、アジャストプレート１６には、アームプレート１２の上面に設けた凸起部１５と係合ストップさせる平行状の切り込み孔２２を穿設するか、あるいは平行状の凹凸部を形成して、前後方向へのスライド変移をさせる場合は、凸起部１５の案内となり、左右方向、傾斜方向のスライド変移をさせる場合は、コイルスプリング１９に抗して、凸起部１５が切り込み孔２２を乗り越えて、ストップさせた状態になる。最後に、上記のように組み立てたものに肘カバー６によって覆うことにより完成するものである。
【００４３】
以上のように本発明の椅子の肘掛け装置は、アジャストプレート１６とアームベース９との間で、アジャストプレート１６に設けたコイルスプリング１９の弾発力に抗して、アームプレート１２と肘掛け４を前後、左右及び傾斜方向に広範囲にスライド変移させることができるものである。
【００４４】
【発明の効果】
本発明は、以上の構成を採用した結果、次のような効果を得ることができる。
（１）椅子の座部両側に有する肘フレームの上端部に、略水平面内で、前後、左右、傾斜方向にスライド変移可能にした椅子の肘掛け装置で、着座者の体格や椅子の使用状態に応じて、肘掛けを広範囲にスライド変移させることができ、人間工学的に優れたものである。
【００４５】
（２）極めて簡単な構成である、アームプレートに設けた凸起部とアジャストプレートに設けた複数本の孔あるいは凹凸状部で左右・前後・傾斜のスライド変移に対するストッパーの働きをコイルスプリングの弾発力の助けをかりて行うことができる。
【００４６】
（３）スライド用の孔を覆うように安全板を設けたので指、指爪などを挟むことがなく安全である。
【図面の簡単な説明】
【図１】  本発明に係る椅子の肘掛け装置の第一実施例を示す分解斜視図である。
【図２】  本発明に係る椅子の全体概略斜視図である。
【図３】  本発明における、肘掛けの肘カバーのスライド変移状態を示す平面図である。
【図４】  本発明に係る椅子の肘掛け装置の第二実施例を示す分解斜視図である。
【符号の説明】
１・・・・座部                          ２・・・・脚部
３・・・・背もたれ部                    ４・・・・肘掛け
５・・・・肘フレーム                    ６・・・・肘カバー
７・・・・支持台                        ８・・・・固定用孔
９・・・・アームベース                １０・・・・ネジ孔
１１・・・・逃げ部                      １２・・・・アームプレート
１３・・・・第１孔                      １４・・・・第２孔
１５・・・・凸起部                      １６・・・・アジャストプレート
１７・・・・軸受部                      １８・・・・ボルト
１９・・・・コイルスプリング            ２０・・・・ワッシャ
２１・・・・ナット                      ２２・・・・切り込み孔
２３・・・・安全板                      ２４・・・・当て板
２５・・・・吸音材                      ２６・・・・アームベースプレート
２７・・・・斜めの孔                    ２８・・・・係止孔
【図１】
0003908821.tif 000002
【図２】
0003908821.tif 000003
【図３】
0003908821.tif 000004
【図４】
0003908821.tif 000005